(57)【要約】      （修正有）【課題】結婚式のヴァージンロードに敷いたマットを記念品とすることのできる記念マットを提供する。【解決手段】イベント会場に敷設した大きなマット１を、家庭用サイズに切断してあり、ハート形状又は楕円形状或いは四辺形状に形成してある。【選択図】図１
0003162379.tif 000002
【実用新案登録請求の範囲】
【請求項１】
イベント会場に敷設した大きなマットを、家庭用サイズに切断してあることを特徴とする記念マット。
【請求項２】
請求項１に記載の記念マットにおいて、前記イベント会場は結婚式場であり、前記マットはヴァージンロードに敷設したマットであることを特徴とする記念マット。
【請求項３】
請求項１又は２に記載の記念マットにおいて、家庭用サイズは玄関の大きさに対応したサイズであることを特徴とする記念マット。
【請求項４】
請求項１、２又は３に記載の記念マットにおいて、イベント会場に敷設した前記マットの特徴部分が含まれていることを特徴とする記念マット。
【請求項５】
請求項１〜４のいずれかに記載の記念マットにおいて、ハート形状又は楕円形状或いは四辺形状に形成してあることを特徴とする記念マット。
【請求項６】
請求項１〜５のいずれかに記載の記念マットにおいて、当該記念マットは洗濯してあることを特徴とする記念マット。
【考案の詳細な説明】
【技術分野】
【０００１】
本考案は、例えば適宜の祝賀会や結婚式などの各種のイベント会場に敷設されたマットを廃棄することなく記念品として利用した記念マットに係り、さらに詳細には、例えば、新郎新婦にとって生涯の思い出となる結婚式を毎日のように思い出すことのできる記念マットに関する。
【背景技術】
【０００２】
例えば、イベントの１例としての結婚式においては、新郎新婦の生涯の思い出として、結婚式場や宴会場の様子をビデオカメラによって撮影することが行われている。この場合、記録媒体に記録した内容を再生する必要がある。したがって、結婚式を毎日のように目にするにはその都度再生する必要がある。なお、写真のアルバム等においても、開かなければ毎日のように目にすることができないものである。
【０００３】
そこで、毎日のように自然に目にすることのできる結婚記念品が提案されている（例えば特許文献１、２参照）。
【先行技術文献】
【特許文献】
【０００４】
【特許文献１】実開平７−９１９０号公報
【特許文献２】実用新案登録第３０４５９４６号公報
【考案の概要】
【考案が解決しようとする課題】
【０００５】
前記特許文献１に記載の結婚記念品は、披露宴におけるキャンドルサービスに使用されるトーチに着脱可能に取付けて使用し、披露宴の終了後には、格別に作成した支持台に前記記念品を取付けるものである。したがって、前記記念品を、目に付く所に飾ることにより毎日目にすることができるものの、前記記念品を飾るための支持台を格別に作成しなければならないという問題がある。また、前記記念品を前記トーチに取付けるには、トーチに多少の細工を加える必要があり、従来のトーチをそのまま使用することができないという問題がある。
【０００６】
すなわち、特許文献１の構成においては、記念品のみならず、支持台及びトーチを記念品に合せて新たに作成する必要がある。
【０００７】
特許文献２に記載の構成は、新郎新婦に擬人化した動物の人形に、新郎新婦が結婚式で着用した例えばタキシード、ベスト、蝶ネクタイ、コサージュ、ウエディングドレス、ブーケ、ティアラなどの被服部を粘土で形成し、彩色するものである。しかし、着用した被服に合わせて粘土でもって被服部を作成し着色するものであるから、実際に使用されたものではなく、思いでの思い入れは少なくならざるを得ないという問題がある。
【０００８】
ところで、結婚式には、ヴァージンロードに絨毯を敷くことが多い。この絨毯は何回も使用されるものであり、新郎新婦にとってはそれほど思いで深いものとはならないのが普通である。しかし、ヴァージンロードに新郎新婦の名前が記載してあると極めて印象深いものとなる。このヴァージンロードの敷物としてマットを使用すると、新郎新婦の名前の記載等が容易であり、容易に作成することができる。この場合、新郎新婦毎にヴァージンロード用のマットを作成し、その都度廃棄することになると極めて不経済である。
【課題を解決するための手段】
【０００９】
本考案は、前述のごとき問題に鑑みてなされたもので、イベント会場に敷設した大きなマットを、家庭用サイズに切断してあることを特徴とするものである。
【００１０】
また、前記記念マットにおいて、前記イベント会場は結婚式場であり、前記マットはヴァージンロードに敷設したマットであることを特徴とするものである。
【００１１】
また、前記記念マットにおいて、家庭用サイズは玄関の大きさに対応したサイズであることを特徴とするものである。
【００１２】
また、前記記念マットにおいて、イベント会場に敷設した前記マットの特徴部分が含まれていることを特徴とするものである。
【００１３】
また、前記記念マットにおいて、ハート形状又は楕円形状或いは四辺形状に形成してあることを特徴とするものである。
【００１４】
また、前記記念マットにおいて、当該記念マットは洗濯してあることを特徴とするものである。
【考案の効果】
【００１５】
本考案によれば、結婚式のヴァージンロードに敷かれた大きなマットを、玄関の大きさに対応したサイズに切断してあり、かつ上記マットには、マットの特徴部分が含まれているので、外出するときには靴を履く毎に、また帰宅時には靴を脱ぐ毎に、自然にマットを目にすることになるものであり、その都度、結婚式の様子を思い出すことができることになるものである。また、マットの特徴ある部分を切り取ってあるので、不要部分として廃棄される部分が少なくなるものである。
【図面の簡単な説明】
【００１６】
【図１】記念マットを飾りに利用した場合を示す説明図である。
【図２】記念マットを玄関マットに利用した場合の説明図である。
【図３】記念マットを玄関マットに利用した場合の説明図である。
【図４】記念マットを切断する前のマットの全体的構成を示す説明図である。
【考案を実施するための形態】
【００１７】
図１〜３を参照するに、図１〜３は本考案の実施形態に係る記念マット１Ａ，１Ｂ，１Ｃを示すものである。記念マット１Ａは、結婚式のヴァージンロードに敷かれたマットの最も特徴的な部分を四角形状に切り抜いてパネル３に取付けて、室内の飾りとしたものである。図２、３に示す記念マット１Ｂ，１Ｃは、ヴァージンロードに敷かれたマットの特徴的な部分を四角形状に切り取って、例えば新郎の実家及び新婦の実家における玄関マットとしてそれぞれ使用する場合を例示したものである。
【００１８】
前記記念マット１Ａ，１Ｂ，１Ｃの元のマット１は、図４に示すように、結婚式のヴァージンロードに敷設して使用するために、縦長の長方向に形成してある。そして、このマット１において最も特徴的な部分には、新郎新婦の好きな例えば花や動物あるいは花文字などの適宜の図形５を複数配列することによって、全体として例えばハート形状など好みの模様７が最も特徴的に描かれている。そして、上記模様の内側には、例えば「ＨＡＰＰＹ  ＷＥＤＤＩＮＧ」の文字が記載されていると共に、新郎新婦の名前及び結婚期日など、思い出になる文字が記載されている。
【００１９】
また、前記マット１には、前記図形５と同一の図形又は別の好みの図形５Ａを複数配列することによって好みの複数の模様７Ａが描かれており、マット１全体としてはなやかで立派にデザインしてある。
【００２０】
上記構成のマット１を、結婚式場のヴァージンロードに敷設し、新郎新婦が踏み歩いた後は、結婚式場においては不用なマットとして破棄されることになる。ところが、新郎新婦やその家族にとってはヴァージンロードのマットとして記念すべき物となる。そこで、前記マット１を洗濯した後、当該マット１において特徴ある部分、すなわち前記模様７、７Ａの部分を、例えばハート形状、楕円形状、正方形や長方形或いは台形などのごとき四辺形状など、好みの形状であって玄関の大きさなど、記念品と残す家庭の条件に対応した家庭用サイズに切断することにより、図１〜３に示すごとき記念マット１Ａ，１Ｂ，１Ｃが得られるものである。
【００２１】
以上のごとき説明より理解されるように、本考案によれば、新郎新婦のみのヴァージンロードのマット１であり、新郎新婦にとって思い出深いものとなるものである。そして、結婚式の終了後には、マット１において特徴ある部分のみを好みの形状、サイズに切り取って記念マットとするものであるから、家から出掛けるとき、及び帰宅したときに毎回のように自然に目にすることとなるものである。したがって、前述したごとき従来の問題を解消し得るものである。
【符号の説明】
【００２２】
１    マット
１Ａ，１Ｂ，１Ｃ    記念マット
５    図形
７    模様
【図１】
0003162379.tif 000003
【図２】
0003162379.tif 000004
【図３】
0003162379.tif 000005
【図４】
0003162379.tif 000006
【手続補正書】
【提出日】平成22年6月25日(2010.6.25)
【手続補正１】
【補正対象書類名】明細書
【補正対象項目名】０００９
【補正方法】変更
【補正の内容】
【０００９】
本考案は、前述のごとき問題に鑑みてなされたもので、イベント会場に敷設した大きなマットを、家庭用サイズに切断してあり、ハート形状又は楕円形状或いは四辺形状に形成してあることを特徴とするものである。
【手続補正２】
【補正対象書類名】明細書
【補正対象項目名】００１０
【補正方法】変更
【補正の内容】
【００１０】
また、イベント会場としての結婚式場においてヴァージンロードに敷設した大きなマットを、家庭用サイズに切断してあり、ハート形状又は楕円形状或いは四辺形状に形成してあることを特徴とするものである。
【手続補正３】
【補正対象書類名】明細書
【補正対象項目名】００１１
【補正方法】変更
【補正の内容】
【００１１】
また、イベント会場としての結婚式場においてヴァージンロードに敷設したマットを、家庭用サイズとして玄関の大きさに対応したサイズに切断してあり、ハート形状又は楕円形状或いは四辺形状に形成してあることを特徴とするものである。
【手続補正４】
【補正対象書類名】明細書
【補正対象項目名】００１２
【補正方法】変更
【補正の内容】
【００１２】
また、イベント会場としての結婚式場においてヴァージンロードに敷設したマットの特徴部分が含まれており、ハート形状又は楕円形状或いは四辺形状に形成してあることを特徴とするものである。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】実用新案登録請求の範囲
【補正対象項目名】全文
【補正方法】変更
【補正の内容】
【実用新案登録請求の範囲】
【請求項１】
イベント会場に敷設した大きなマットを、家庭用サイズに切断してあり、ハート形状又は楕円形状或いは四辺形状に形成してあることを特徴とする記念マット。
【請求項２】
イベント会場としての結婚式場においてヴァージンロードに敷設した大きなマットを、家庭用サイズに切断してあり、ハート形状又は楕円形状或いは四辺形状に形成してあることを特徴とする記念マット。
【請求項３】
イベント会場としての結婚式場においてヴァージンロードに敷設したマットを、家庭用サイズとして玄関の大きさに対応したサイズに切断してあり、ハート形状又は楕円形状或いは四辺形状に形成してあることを特徴とする記念マット。
【請求項４】
イベント会場としての結婚式場においてヴァージンロードに敷設したマットの特徴部分が含まれており、ハート形状又は楕円形状或いは四辺形状に形成してあることを特徴とする記念マット。